(57)【要約】  【課題】  従来の玉磨き揚送装置では、外部に突出する引出ローラ及び巻取ローラが、外部に露出していると、玉磨き用ベルトは汚れてしまう課題を有した。  【解決手段】      搬送ベルト１２と、搬送ベルト１２に対面させて設置される玉磨き用ベルト２１を有し、搬送ベルト１２と玉磨き用ベルト２１を対面させてパチンコ玉ｗを磨きながら揚送し、未使用の玉磨き用ベルト２１を引き出し可能に巻いた引出ローラ３１と、使用済みの玉磨き用ベルト２１を巻き取る巻取ローラ４１とを備えた玉磨き揚送装置１１において、  引出ローラ軸３２又は巻取ローラ軸４２を着脱可能に、引出ローラ３１又は巻取ローラ４１を収納する１又は複数の収納ボックス５１、５１ａ、５１ｂを有することを特徴とする玉磨き揚送装置。【選択図】  図１
2006314597.tif 000002
【特許請求の範囲】
【請求項１】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ及び巻取ローラを収納する１の収納ボックスを有するか、
または、
引出ローラ及び巻取ローラを夫々収納する複数の収納ボックスを有することを特徴とする玉磨き揚送装置。
【請求項２】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ及び巻取ローラを１の収納ボックスに収納するか、
または、
引出ローラ及び巻取ローラを夫々複数の収納ボックスに収納することを特徴とする玉磨き揚送装置の設置方法。
【請求項３】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ及び巻取ローラを着脱可能に収納する１の収納ボックスを有するか、
または、
引出ローラ及び巻取ローラを夫々着脱可能に収納する複数の収納ボックスを有することを特徴とする玉磨き揚送装置。
【請求項４】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ及び巻取ローラを着脱可能に１の収納ボックスに収納するか、
または、
引出ローラ及び巻取ローラを夫々着脱可能に複数の収納ボックスに収納することを特徴とする玉磨き揚送装置の設置方法。
【請求項５】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ軸及び巻取ローラ軸を着脱可能に、引出ローラ及び巻取ローラを収納する１の収納ボックスを有するか、
または、
引出ローラ軸及び巻取ローラ軸を夫々着脱可能に、引出ローラ及び巻取ローラを夫々収納する複数の収納ボックスを有することを特徴とする玉磨き揚送装置。
【請求項６】
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ軸及び巻取ローラ軸を着脱可能に、引出ローラ及び巻取ローラを１の収納ボックスに収納するか、
または、
引出ローラ軸及び巻取ローラ軸を夫々着脱可能に、引出ローラ及び巻取ローラを夫々複数の収納ボックスを収納することを特徴とする玉磨き揚送装置の設置方法。
【請求項７】
収納ボックスには、内部を露出可能な蓋を備え、蓋を開状態とすることで引出ローラ及び巻取ローラの少なくとも一方を脱着可能な請求項１、又は請求項３、又は請求項５記載の玉磨き揚送装置。
【請求項８】
収納ボックスには、内部を露出可能な蓋を備え、蓋を開状態とすることで引出ローラ及び巻取ローラの少なくとも一方を脱着可能な請求項２、又は請求項４、又は請求項６記載の玉磨き揚送装置の設置方法。
【請求項９】
収納ボックスには、玉磨き用ベルトと接触することで玉磨き用ベルトに張りを持たせる進退自在の接触部を有する請求項７記載の玉磨き揚送装置。
【請求項１０】
収納ボックスには、玉磨き用ベルトと接触することで玉磨き用ベルトに張りを持たせる進退自在の接触部を有する請求項８記載の玉磨き揚送装置の設置方法。
【請求項１１】
接触部は、蓋に取り付けられ、蓋の開閉により玉磨き用ベルトへの接触および非接触を選択する請求項９記載の玉磨き揚送装置。
【請求項１２】
接触部は、蓋に取り付けられ、蓋の開閉により玉磨き用ベルトへの接触および非接触を選択する請求項１０記載の玉磨き揚送装置の設置方法。
【発明の詳細な説明】
【技術分野】
【０００１】
この発明は、玉磨き揚送装置及び玉磨き揚送装置の設置方法に係る。詳細には、搬送ベルトと玉磨き用ベルトを対面させその間で、遊技機に使用される遊技媒体であるパチンコ玉を挟んで磨きながら揚送する玉磨き揚送装置及び玉磨き揚送装置の設置方法に係る。
【背景技術】
【０００２】
玉磨き揚送装置としては、特開２００１−２２４８２２（特許文献１）が、知られている。
特許文献１記載の玉磨き揚送装置では、パチンコ玉を研磨する布ベルトが全面の全長に渡って周回装着されるガイドレールの中央部表面から巻取装置のロール部が、また、ガイドレールの下部表面から装着機構部のロール部が、それぞれ外側に向かって突設されていた。
【特許文献１】特開２００１−２２４８２２号公報
【発明の開示】
【発明が解決しようとする課題】
【０００３】
特開２００１−２２４８２２（特許文献１）においては、特許文献１図１の巻取装置のロール部、装着機構部のロール部の設置場所にかなりのスペースを必要とし、外側に突起していた。外部に突出する引出ローラ及び巻取ローラが、外部に露出していると、玉磨き用ベルトは汚れてしまう課題を有した。
【課題を解決するための手段】
【０００４】
この発明は、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ及び巻取ローラを収納する１の収納ボックスを有するか、または、引出ローラ及び巻取ローラを夫々収納する複数の収納ボックスを有することを特徴とする玉磨き揚送装置、
を提供する。
尚、収納ボックスは、引出ローラ、巻取ローラを外部に全部乃至ごく一部を露出しないように、収納するようにするとより汚れ難くなるので好ましい。
【０００５】
更に、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ及び巻取ローラを１の収納ボックスに収納するか、または、引出ローラ及び巻取ローラを夫々複数の収納ボックスに収納することを特徴とする玉磨き揚送装置の設置方法、
からなる。
尚、収納ボックスは、引出ローラ、巻取ローラを外部に全部乃至ごく一部を露出しないように、収納するようにするとより汚れ難くなるので好ましい。
【０００６】
更に、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ及び巻取ローラを着脱可能に収納する１の収納ボックスを有するか、または、引出ローラ及び巻取ローラを夫々着脱可能に収納する複数の収納ボックスを有することを特徴とする玉磨き揚送装置、
からなる。
尚、
【０００７】
更に、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ及び巻取ローラを着脱可能に１の収納ボックスに収納するか、または、引出ローラ及び巻取ローラを夫々着脱可能に複数の収納ボックスに収納することを特徴とする玉磨き揚送装置の設置方法、
からなる。
【０００８】
更に、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置において、
引出ローラ軸及び巻取ローラ軸を着脱可能に、引出ローラ及び巻取ローラを収納する１の収納ボックスを有するか、または、引出ローラ軸及び巻取ローラ軸を夫々着脱可能に、引出ローラ及び巻取ローラを夫々収納する複数の収納ボックスを有することを特徴とする玉磨き揚送装置、
からなる。
【０００９】
更に、
搬送ベルトと、搬送ベルトに対面させて設置される玉磨き用ベルトを有し、搬送ベルトと玉磨き用ベルトを対面させてパチンコ玉を磨きながら揚送し、未使用の玉磨き用ベルトを引き出し可能に巻いた引出ローラと、使用済みの玉磨き用ベルトを巻き取る巻取ローラとを備えた玉磨き揚送装置に用いられ、
引出ローラ軸及び巻取ローラ軸を着脱可能に、引出ローラ及び巻取ローラを１の収納ボックスに収納するか、または、引出ローラ軸及び巻取ローラ軸を夫々着脱可能に、引出ローラ及び巻取ローラを夫々複数の収納ボックスを収納することを特徴とする玉磨き揚送装置の設置方法、
からなる。
【００１０】
更に、
収納ボックスには、内部を露出可能な蓋を備え、蓋を開状態とすることで引出ローラ及び巻取ローラの少なくとも一方を脱着可能な請求項１、又は請求項３、又は請求項５記載の玉磨き揚送装置、
からなる。
【００１１】
更に、
収納ボックスには、内部を露出可能な蓋を備え、蓋を開状態とすることで引出ローラ及び巻取ローラの少なくとも一方を脱着可能な請求項２、又は請求項４、又は請求項６記載の玉磨き揚送装置の設置方法、
からなる。
【００１２】
更に、
収納ボックスには、玉磨き用ベルトと接触することで玉磨き用ベルトに張りを持たせる進退自在の接触部を有する請求項７記載の玉磨き揚送装置、
からなる。
【００１３】
更に、
収納ボックスには、玉磨き用ベルトと接触することで玉磨き用ベルトに張りを持たせる進退自在の接触部を有する請求項８記載の玉磨き揚送装置の設置方法、
からなる。
【００１４】
更に、
接触部は、蓋に取り付けられ、蓋の開閉により玉磨き用ベルトへの接触および非接触を選択する請求項９記載の玉磨き揚送装置、
からなる。
【００１５】
更に、
接触部は、蓋に取り付けられ、蓋の開閉により玉磨き用ベルトへの接触および非接触を選択する請求項１０記載の玉磨き揚送装置の設置方法、
からなる。
【発明の効果】
【００１６】
そのため、他の部分に比し、外部に突出する引出ローラ及び巻取ローラを収納ボックスで覆うことにより、引出ローラ及び巻取ローラは外部に露出せず、玉磨き用ベルトは汚れにくくなる。
【発明を実施するための最良の形態】
【００１７】
搬送ベルト１２と、搬送ベルト１２に対面させて設置される玉磨き用ベルト２１を有し、搬送ベルト１２と玉磨き用ベルト２１を対面させてパチンコ玉Ｗを磨きながら揚送し、未使用の玉磨き用ベルト２１を引き出し可能に巻いた引出ローラ３１と、使用済みの玉磨き用ベルト２１を巻き取る巻取ローラ４１とを備えた玉磨き揚送装置１１において、
引出ローラ軸３２又は巻取ローラ軸４２を着脱可能に、引出ローラ３１及び巻取ローラ４１を収納する１の収納ボックス５１を有するか、または、引出ローラ軸３２及び巻取ローラ軸４２を夫々着脱可能に、引出ローラ３１及び巻取ローラ４１を夫々収納する複数の収納ボックス５１ａ、５１ｂを有することを特徴とする玉磨き揚送装置、
からなる。
そのため、他の部分に比し、外部に突出する引出ローラ３１及び巻取ローラ４１を収納ボックス５１、５１ａ、５１ｂで覆うことにより、引出ローラ３１及び巻取ローラ４１は外部に露出せず、玉磨き用ベルト２１は汚れにくくなる。
【実施例１】
【００１８】
１１は、玉磨き揚送装置である。玉磨き揚送装置１１は、上下方向の柱状からなる。１２は、搬送ベルトである。搬送ベルト１２は、革製からなる。搬送ベルト１２は、玉磨き揚送装置１１の上下方向に掛け渡して電動モータにより上下方向に搬送される。
【００１９】
２１は、玉磨き用ベルトである。玉磨き用ベルト２１は、布製からなり、搬送ベルト１２に対面させて設けられる。玉磨き用ベルト２１と搬送ベルト１２との対向面において、玉磨き用ベルト２１は、搬送ベルト１２の搬送方向とは逆の上から下方向へ移動可能である。また玉磨き用ベルト２１と搬送ベルト１２との対向面において、搬送ベルト１２と玉磨き用ベルト２１との間でパチンコ玉Ｗを挟んで、玉磨き用ベルト２１が静止した状態で搬送ベルト１２が下方から上方に移動することで、下部にあるパチンコ玉Ｗを上方に搬送する。その際、搬送ベルト１２に下方から上方への移動にともない、静止した玉磨き用ベルト２１にパチンコ玉Ｗが回転しながら擦れて研磨され、パチンコ玉に付着した汚れが玉磨き用ベルト２１により拭き取られる。未使用の玉磨き用ベルト２１をロール状に装着して引出可能とする引出ローラ３１、及び使用済み玉磨き用ベルト２１をロール上に巻き取る巻取ローラ４１は、図１の玉磨き揚送装置１１の揚送筒１３の背面１４側に設けられた収納ボックス５１内に設置され、島から外側に設置される。また収納ボックス５１は、玉磨き揚送装置１１の下部、遊技台の玉置き用カウンターの下側高さよりも低い高さに設置される。一般に遊技場では、パチンコホール床面から、５７０ｍｍの高さに玉箱置き用のカウンターが設置されるが、最大径時でも５７０ｍｍ以内の高さに収納される。このようにすることで、遊技機を設置しない玉箱置き用のカウンターの下方のデッドスペースに遊技客の邪魔にならずに島から外側に突出させて設置することができるので、島幅を極限まで狭くできる。
【００２０】
３１は、引出ローラである。引出ローラ３１には、引出ローラ軸３２に未使用の玉磨き用ベルト２１が巻き付けられ引き出し可能である。
【００２１】
４１は、巻取ローラである。巻取ローラ４１では、巻取ローラ軸４２に使用済み玉磨き用ベルト２１を巻き付ける。巻取ローラ軸４２は、円柱状の金属棒からなるが、周の一部は長手方向に渡って周を削られ平面部を形成している。玉磨き用ベルト２１の先端を巻き付けるときは、巻取ローラ軸４２の平面部に引っかけて巻き取る。そのため、玉磨き用ベルト２１の巻き付きが確実となる。
引出ローラ３１は、巻取ローラ４１の上部に重ねて置かれる。
５１は、収納ボックスである。引出ローラ３１および、巻取ローラ４１は、収納ボックス５１内に収納される。収納ボックス５１内に収納されるため、引出ローラ３１および、巻取ローラ４１の汚れを防止することが可能である。収納ボックス５１は、床面から５７０ｍｍ以内の高さからなり、この実施例では床面から１４０ｍｍ上げて設置するので約４３０ｍｍである。収納ボックス５１が、引出ローラ３１用の収納ボックス５１ａおよび、巻取ローラ４１用の収納ボックス５１ｂと複数の収納ボックスからなるときは、併せて５７０ｍｍ以内の高さからなる。
収納ボックス５１には、上部を開閉して引出ローラ３１を交換するとき使用する上部蓋５２と、側面を開閉して巻取ローラ４１を交換するとき使用する側面蓋５３とが設けられる。
収納ボックス５１には、内部を露出可能な上部蓋５２と側面蓋５３を備え、上部蓋５２と側面蓋５３蓋をそれぞれ開状態とすることで引出ローラ３１又は巻取ローラ４１を脱着可能である。蓋の存在により、玉磨き用ベルト２１は外部に露出せず汚れを防止することが可能である。
【００２２】
他の部分に比し、外部に突出する引出ローラ３１及び巻取ローラ４１が、玉磨き揚送装置１１が設置されるホールに、同じく設置される遊技機の玉置き用カウンターよりも低い位置に設置されている。そのため、これらを、ホールの遊技機の下部に位置する玉置き用カウンターよりも下部に収納することが可能となる。
【００２３】
３３は、引出ローラガイドである。引出ローラガイド３３は、収納ボックス５１内側両側面に設けられ、玉磨き用ベルト２１が巻き付かれた状態の引出ローラ３１の引出ローラ軸３２が玉磨き揚送装置１１の揚送筒１３の背面１４に対し平行に回転自在に水平に掛け渡し可能に引出ローラガイド３３の案内に従い装着される。その際、引出ローラガイド３３は、上部に上方に向けた開口部３４を設けて、上下方向に設けられ、引出ローラ軸３２を開口部３４から挿入させて、支持された引出ローラ３１の引出ローラ軸３２を、下方に案内をする。
【００２４】
３５は、引出ローラ仮置き用軸受けである。引出ローラ仮置き用軸受け３５は、使用済みの引出ローラ３１の使用済み引出ローラ軸３２を取り出し、未使用の引出ローラ３１と交換するとき、未使用の引出ローラ３１を仮置きする軸受けである。
引出ローラの上下に移動する引出ローラガイド３３の上部に、ガイド延長上、真上に設ける。
図４に図示するように、引出ローラ３１の露出度が高い位置に引出ローラ３１を仮置きして、ローラに巻き付いた玉磨き用ベルト２１の判りにくい端部を引っ張って玉磨き揚送装置１１上下に掛け回す。そのため、引出ローラ３１の露出度が低い引出ローラガイド３３の下方に直接引出ローラ軸３２が装填された場合より容易となる。
未使用の引出ローラ３１の端部を掛け回した後、引出ローラガイド３３の上部に、ガイド延長上、真上に設ける引出ローラ仮置き用軸受け３５から、正規の位置である引出ローラガイド３３に未使用の引出ローラ３１を収納するため、移動が容易である。
【００２５】
４３は、巻取ローラガイドである。巻取ローラガイド４３は、収納ボックス５１内側両側面に設けられ、玉磨き用ベルト２１が巻き付かれた状態の巻取ローラ４１の巻取ローラ軸４２が玉磨き揚送装置１１の揚送筒１３の背面１４に対し平行に回転自在に水平に掛け渡し可能に巻取ローラガイド４３の案内に従い装着される。巻取ローラガイド４３は、図２、図３に図示されるように、引出ローラガイド３３の下方延長上に収納ボックス５１内側側面の上方に向けた後、水平に外側、即ち遊技者側に曲げて向け開口させ、開口部４４を設けて、上下方向に設けられる。玉磨き用ベルト２１の先端が巻取ローラ軸４２の平面部に引っかけて巻き付かれた状態の巻取ローラ４１の巻取ローラ軸４２が上部開口部４４から収納される。
巻取ローラガイド４３は、巻取ローラ４１が上下に移動する案内をする。
【００２６】
６１ａ、６１ｂ、６１ｃ、６１ｄは、駆動ローラである。それぞれローレットがけされたメッシュが表面に設けられる、４本の金属製ローラからなる。
巻取ローラ４１の下部に、駆動ローラ６１ａ、６１ｂの外周と巻取ローラ４１の外周を接触させて設置させ、接触して巻取ローラ４１を駆動させる。巻取ローラ４１が殆ど玉磨き用ベルト２１を巻き取っていない状態でも巻取ローラ４１と駆動ローラ６１ａ、６１ｂとは接触するように、巻取ローラガイド４３の最下位位置を設定する。
駆動ローラ６１ｃ、６１ｄは、玉磨き用ベルト２１を引いて引っ張り出す。
６２は、巻き取り長さを演算する為のエンコーダローラである。
【００２７】
この第１実施例では、巻取ローラ４１は、巻取ローラ４１の中心軸となる巻取ローラ軸４２が駆動されて玉磨き用ベルト２１を巻き取っているのではなく、駆動ローラ６１ａ、６１ｂの外周と巻取ローラ４１の外周を接触させて設置させ、接触して巻取ローラ４１を駆動させる。そのため、巻取ローラ軸４２を駆動する必要はないので、駆動力の伝達方法を考慮することなく自由に上下移動させることが可能である。
駆動ローラ６１ａ、６１ｂは、駆動ローラ６１ｃ、６１ｄより僅かに回転を速くするようにしてもよい。このようにすれば、未使用玉磨き用ベルト３１の弛みを防止することが可能である。
巻き取り時に引出ローラ３１が未使用玉磨き用ベルト２１を引き出しされる際に、引き出し方向と逆回転する方向に引出ローラ３１の外周部に回転駆動力を作用させると、未使用玉磨き用ベルト３１の弛みを防止することが可能である。
【００２８】
６３は、接触部である。この第１実施例では、接触部６３は、フリーローラからなり、表面は平滑状からなる。
接触部６３は、側面蓋５１の裏側に設けられ、蓋の開閉により進退自在となり、玉磨き用ベルト２１への接触および非接触を選択する。接触部６３は、玉磨き用ベルト２１と接触することで玉磨き用ベルト２１に張りを持たせる。そのため、側面蓋５３を閉じたとき、駆動ローラ６１ｃ、６１ｄ間に位置して、駆動ローラ６１ａ、６１ｂ、６１ｃ、６１ｄにかけ回される玉磨きベルト２１を駆動ローラ６１ｃ、６１ｄ側に押しつけ玉磨きベルト２１の弛みをとる。
接触部６３は、側面蓋５１の裏側に設けられ、蓋の開閉により進退自在となり、玉磨き用ベルト２１への接触および非接触を選択するため、蓋の開閉という一動作で設置が可能となる。
【００２９】
図２、図３に図示される第１実施例においては、引出ローラ３１は、巻取ローラ４１の上方に互いの外周が接することなく配置される。そして、巻き取り後の巻取ローラ４１と巻き取り前の引出ローラ３１の最大径が巻き取り前後でオーバーラップする位置に、各回転軸３２、４２を配置し、巻取ローラ４１は、引出ローラ３１から玉磨き用ベルト２１を巻き取った状態で最大径となり、引出ローラ３１は巻取ローラ４１に未使用の玉磨き用ベルト２１を巻き取られる前で最大径となる。このため、巻取ローラ４１と引出ローラ３１の全体としての高さの変化が無く、狭い高さスペースでローラを収納することが可能となる。
また、引出ローラ３１から引き出された玉磨き用ベルト２１は、引出ローラ３１の下方に位置する巻取ローラ４１に巻き取られる。そのため、玉磨き用ベルト２１が巻き取られるに従い、下部の巻取ローラ４１は径が大きくなり、巻取ローラ４１の巻取ローラ軸４２は巻取ローラガイド４３に案内されて上方へ移動する。しかしながら、引出ローラ３１の径は巻き取られるに従い径小となるので、巻取ローラ４１が上方に変位しても移動することはない。引出ローラ３１の径が大から小に、巻取ローラ４１の径が小から大に、径がそれぞれ変化するに従い、ローラの位置が移動し、巻取ローラ４１と引出ローラ３１の全体としての高さの変化が無く、狭い高さスペースでローラを収納することが可能となる。
【００３０】
パチンコ玉Ｗは、搬送ベルト１２により下部から上部に搬送され、搬送ベルト１２の対面に位置する玉磨き用ベルト２１との間を玉磨き揚送装置１１の上方に搬送される。搬送される間に、パチンコ玉Ｗは搬送ベルト１２と玉磨き用ベルト２１との間で摩擦され、錆等の汚れは擦り取られる。パチンコ玉Ｗの汚れは、搬送ベルト１２と玉磨き用ベルト２１に付着される。汚れたパチンコ玉Ｗは、玉磨き揚送装置１１の下方から供給される上方に搬送されるので、玉磨き用ベルト２１は下部の方から汚れ方がひどくなる。玉磨き用ベルト２１の汚れが酷くなると、搬送ベルト１２の駆動を停止して、搬送ベルト１２に対面した面を巻取ローラ４１に巻き取って、玉磨き用ベルト２１の未使用の面を搬送ベルト１２に対面させる。
【００３１】
従来は玉磨き用ベルト２１の巻き取り方向は、下方から上方へ移動する搬送ベルト１２の駆動方向と同一の方向、すなわち、玉磨き揚送装置１１の下方から上方に行っていた。しかしその場合は、搬送ベルト１２に対面する玉磨き用ベルト２１の中でも、汚れ方の少ない上部に位置する搬送ベルト１２から巻き取ることになるため、最後に最も汚れ方の激しい部分である搬送ベルト１２に対面する玉磨き用ベルト２１を巻き取ることになる。すると、さして汚れていない部分である玉磨き用ベルト２１上部も必ず巻き取らねばならず、無駄が多くなる課題を有する。
この実施例では、玉磨き用ベルト２１の巻き取り方向は、下方から上方へ移動する搬送ベルト１２の駆動方向と逆の方向、すなわち、玉磨き揚送装置１１の上方から下方に行っている。そのため、汚れ方の激しい、搬送ベルト１２に対面する玉磨き用ベルト２１下方から巻き取ることになる。そのため、玉磨き用ベルト２１上部がさほど汚れていないときは、汚れている下部のみを巻き取れば済み、玉磨き用ベルト２１の有効利用を図ることが可能となる。
【００３２】
７１は、ジョイントである。ジョイント７１は、図７に図示されるように、中心棒から両端で、両側にフック７２を合計４個設ける。使用済み玉磨き用ベルト２１と未使用玉磨き用ベルト２１との始端と終端とをベルトの両側から挟み込み、玉磨き用ベルト２１の端部は、ジョイント７１で他の玉磨き用ベルト２１、特に未使用の玉磨き用ベルト２１に接続可能である。未使用の玉磨きベルト２１に接続することで、未使用の玉磨き用ベルト２１に繋げて、玉磨き揚送装置１１を順次掛け回して取り替える。
ジョイント７１なしでは、使用済みの玉磨き用ベルト２１は、一旦全て取り外して交換する必要がある。
実施例１では、引出ローラ軸３２は固定され、巻取ローラ軸４２は移動され、高さを最小に減少できるという効果を有する。
【００３３】
すなわち、
特開２００１−２２４８２２（特許文献１）においては、特許文献１図１の巻取装置のロール部、装着機構部のロール部の設置場所にかなりのスペースを必要とし、外側に突起するため、島幅をコンパクトにできない要因となっていた。
具体的には、特許文献１記載の揚送筒本体のロール部、装着機構部のロール部等を遊技者側である外側に向けるとロール部が島から飛び出してしまう。つまり、島幅を多くするスペースが必要となるため、揚送筒本体のロール部、装着機構部を島の長手方向に向けて設ける必要があった。この場合においても、島内部に紙幣搬送設備やどぶ及び揚送筒を並べると太い島幅を必要とし、狭い島幅の場合には設置できないといった問題が発生する。そしてさらに、揚送筒本体のロール部、装着機構部のロール部を島の長手方向に向けるようにすると、島長手両側からのパチンコ玉の回収に際し島中央部で集合させ、集合部からの流れを遊技者側である外側に一旦屈曲させ、さらに島の長手方向すなわち島内部のどぶに平行に屈曲させるという２重の屈曲を必要としその分余分にスペースを必要していた。
【００３４】
そこで発明者は、島幅をコンパクトにすべく、揚送筒本体のロール部、装着機構部のロール部等を、遊技者側である外側に向けようと考え、パチンコ遊技機の下皿より賞玉をうけるパチンコ玉箱をおくカウンターが遊技者側である外側に突設しているのに着目し、そのカウンターの下側であれば上記ロール部に設置場所として適しているのではないかと思い至った。しかしながら、カウンターの下側スペースの高さはどの遊技場でもほぼ５７０ｍｍであり、ロール径を大きくするとその高さ制限を越えてしまうので、ぎりぎり採用できる大きさのロール径を検討したところ従来の布ベルト（玉磨き用ベルト）長のロールを設置できないといった問題が発生した。
【００３５】
そこで発明者は、使用前大きな径であった未使用ロールは、使用後巻き取られ最後には引出ロールの径となり、使用前小さな径であった巻き取りロールは使用後巻き取られて大きな径となることに着目し、ロールの回転軸を高さ方向に移動させれば未使用ロールの径と巻取り後のロールの径の合計として接触することなく、従来の玉磨き用ベルト長のロールでも高さ５７０ｍｍに配置できることに思い至った。
この発明の各実施例は、これら知見に基づいてなされた。
【実施例２】
【００３６】
図８に全体を、図９、図１０に一部中央断面説明図を図示する第２実施例では、引出ローラ３１が収納される上部の収納ボックス５１ａと、巻取ローラ４１が収納される下部の収納ボックス５１ｂとのそれぞれの収納ボックスからなる。両収納ボックスは図８に図示されるように連続させてもよい。
複数の収納ボックス５１ａと、収納ボックス５１ｂとを有する場合は、相互に連結可能とし、くっつけて並べて置けるのでスペースをとらないで済む。また、収納ボックスを５１ａ、５１ｂに分離して設けることで、収納ボックス５１ａ、５１ｂの玉磨き揚送装置１１の揚送筒１３の背面１４側からの脱着や取り外しての清掃作業が容易となる。
収納ボックス５１ａと、収納ボックス５１ｂには、内部を露出可能な上部蓋５２と側面蓋５３を備え、上部蓋５２と側面蓋５３蓋をそれぞれ開状態とすることで引出ローラ３１又は巻取ローラ４１を脱着可能である。
引出ローラ３１の収納ボックス５１ａ内への収納は、この実施例では、引出ローラ軸３２は、引出ローラ３１側に設けられているが、回転軸あるいは支持軸は、収納ボックス５１ａ内側両側面から進退自在に突出と収納とを選択可能としてもよい。その場合は、回転軸あるいは支持軸は、収納ボックス５１ａ内部への突出時に玉磨き用ベルト２１の端部を装着し、玉磨き用ベルト２１が無くなったときに、収納ボックス５１内側両側面に収納する。このようにすれば、取り外される引出ローラ軸３２は無くともよく、紛失することが避けることが可能となる。
引出ローラ軸３２が、引出ローラ３１側に設けられたときは、回転軸を、収納ボックス５１ａ内側両側面から進退自在に突出と収納とを選択可能としたときにはその収納スペースが必要となるのに比し、コンパクトとすることが可能となる。
【実施例３】
【００３７】
図１１、図１２に一部中央断面説明図を図示する第３実施例では、引出ローラ軸３２及び巻取ローラ軸４２を収納ボックス５１に回転自在に取り付けて高さ位置を固定する。そのため、引出ローラ３１、巻取ローラ４１ともに上下動しない。
第３実施例では、巻取ローラ軸４２は駆動されて、玉磨き用ベルト２１を巻き取る巻取兼駆動ローラ軸となる。
第３実施例では、引出ローラ３１は、巻取ローラ４１の上方に互いの外周が接することなく配置される。そして、巻き取り後の巻取ローラ４１と巻き取り前の引出ローラ３１の最大径が巻き取り前後でオーバーラップする位置に、各回転軸引出ローラ軸３２、巻取ローラ軸４２を配置し、巻取ローラ４１は、引出ローラ３１から玉磨き用ベルト２１を巻き取った状態で最大径となり、引出ローラ３１は巻取ローラ４１に未使用の玉磨き用ベルト２１を巻き取られる前で最大径となる。このため、巻取ローラ４１と引出ローラ３１の全体としての高さの変化が無く、狭い高さスペースでローラを収納することが可能となる。オーバラップさせることで高さを減少できる。
引出ローラ３１および、巻取ローラ４１の収納ボックス５１内への収納は、この実施例では、引出ローラ軸３２および巻取ローラ軸４２は、引出ローラ３１または、巻取ローラ４１側に設けられているが、各回転軸あるいは支持軸は、収納ボックス５１内側両側面から進退自在に突出と収納とを選択可能としてもよい。その場合は、回転軸あるいは支持軸は、収納ボックス５１内部への突出時に玉磨き用ベルト２１の端部を装着し、玉磨き用ベルト２１が無くなったときに、収納ボックス５１内側両側面に収納する。このようにすれば、取り外される引出ローラ軸３２および巻取ローラ軸４２は無くともよく、紛失することが避けることが可能となる。
引出ローラ軸３２および巻取ローラ軸４２が、引出ローラ３１または、巻取ローラ４１側に設けられたときは、各回転軸を、収納ボックス５１内側両側面から進退自在に突出と収納とを選択可能としたときにはその収納スペースが必要となるのに比し、コンパクトとすることが可能となる。
【実施例４】
【００３８】
図１３、図１４に一部中央断面説明図を図示する第４実施例では、３６は、引出ローラおよび巻取ローラガイドであり、巻取ローラ４１、引出ローラ３１は、引出ローラおよび巻取ローラガイド３６に上方の開口部３４から順次収納され設置され、引出ローラ３１は、巻取ローラ４１の上方に互いの外周が接した状態で配置される。引出ローラ３１外周部最下端と巻取ローラ４１の外周部最上端との接触による摩擦力は、引出ローラ３１が巻き取られる力より充分小さいので巻取り可能であるとともに、引き出す力を抑制するので玉磨き用ベルト２１の引き出しによる弛みの発生を防止できるという効果がある。
第４実施例では、巻取ローラ軸４２は直接モータ駆動されて、玉磨き用ベルト２１を巻き取る巻取兼駆動ローラ軸となる。巻取りローラ軸４２は回転自在に、引出ローラおよび巻取ローラガイド３６の最下端において高さ位置が重力作用により固定される。
そして、巻き取り後の巻取ローラ４１と巻き取り前の引出ローラ３１の最大径が巻き取り前後でオーバーラップする位置に、各回転軸引出ローラ軸３２、巻取ローラ軸４２を配置し、巻取ローラ４１は、引出ローラ３１から玉磨き用ベルト２１を巻き取った状態で最大径となり、引出ローラ３１は巻取ローラ４１に未使用の玉磨き用ベルト２１を巻き取られる前で最大径となる。このため、巻取開始と巻取り終了において、巻取ローラ４１と引出ローラ３１の全体としての高さの変化が無く、狭い高さスペースでローラを収納することが可能となり、オーバラップさせることで高さを減少できるという効果を有する。
また、引出ローラ３１から引き出された玉磨き用ベルト２１は、引出ローラ３１の下方に位置する巻取ローラ４１に巻き取られる。そのため、玉磨き用ベルト２１が巻き取られるに従い、下部の巻取ローラ４１は径が大きくなるため、引出ローラ３１の引出ローラ軸３２は、巻取ローラ４１の外周上端部の高さが増すに従い上方に押し上げられ、引出および巻取ローラガイド３６に案内され上方へ移動する。しかしながら、最終的には引出ローラ３１の径は巻き取られるに従い径小となるので、巻取ローラ４１の外周上端部の高さが増しても移動することはない。そして実施例４においては若干引出ローラ軸の高さが巻取り中盤において上昇し、後半元に戻り変動する。従って引出ローラ３１の径が大から小に、巻取ローラ４１の径が小から大に、径がそれぞれ変化するに従い、引出ローラの位置が移動し、巻取ローラ４１と引出ローラ３１の全体としての高さの変化が少なく、狭い高さスペースでローラを収納することが可能となる。
巻取ローラ４１の収納ボックス５１内への収納は、この実施例では、巻取ローラ軸４２は、巻取ローラ４１側に設けられているが、回転軸あるいは支持軸は、収納ボックス５１内側両側面から進退自在に突出と収納とを選択可能としてもよい。その場合は、回転軸あるいは支持軸は、収納ボックス５１内部への突出時に玉磨き用ベルト２１の端部を装着し、玉磨き用ベルト２１が無くなったときに、収納ボックス５１内側両側面に収納する。このようにすれば、取り外される巻取ローラ軸４２は無くともよく、紛失することが避けることが可能となる。
巻取ローラ軸４２が、巻取ローラ４１側に設けられたときは、回転軸を、収納ボックス５１内側両側面から進退自在に突出と収納とを選択可能としたときにはその収納スペースが必要となるのに比し、コンパクトとすることが可能となる。
【実施例５】
【００３９】
図１５、図１６に一部中央断面説明図を図示する第５実施例では、引出ローラ３１の外周最下端は、巻取ローラ４１の外周最上端接して配置される。引出ローラ３１外周部最下端と巻取ローラ４１の外周部最上端との接触による摩擦力は、引出ローラ３１が巻き取られる力より充分小さいので巻取り可能であるとともに、引き出す力を抑制するので玉磨き用ベルト２１の引き出しによる弛みの発生を防止できるという効果がある。
３６は、引出ローラおよび巻取ローラガイドであり、巻取ローラ４１、引出ローラ３１は、引出ローラおよび巻取ローラガイド３６に案内され、上から順次収納され回転自在に設置される。そして巻取ローラ外周最下端には駆動ローラ６１ａ、６１ｂが接して駆動ローラ６１ａ、６１ｂの回転に伴い巻取ローラ４１が巻き取られる。
そして、巻き取り後の巻取ローラ４１と巻き取り前の引出ローラ３１の最大径が巻き取り前後でオーバーラップする位置に、各回転軸３２、４２を配置し、巻取ローラ４１は、引出ローラ３１から玉磨き用ベルト２１を巻き取った状態で最大径となり、引出ローラ３１は巻取ローラ４１に未使用の玉磨き用ベルト２１を巻き取られる前で最大径となる。このため、巻取ローラ４１と引出ローラ３１の全体としての高さの変化が無く、狭い高さスペースでローラを収納することが可能となり、オーバラップさせることで高さを減少できるという効果を有する。
また、引出ローラ３１から引き出された玉磨き用ベルト２１は、引出ローラ３１の下方に位置する巻取ローラ４１に巻き取られる。そのため、玉磨き用ベルト２１が巻き取られるに従い、下部の巻取ローラ４１は径が大きくなり、巻取ローラ４１の巻取ローラ軸４２は、引出ローラおよび巻取ローラガイド３６に案内され上方へ移動する。この上方への移動に伴い巻取ローラ４１の外周最上端部に接する引出ローラ３１の外周最下端部が引出ローラおよび巻取ローラガイド３６に案内され上方へ移動する。しかしながら、引出ローラ３１の径が大から小に、巻取ローラ４１の径が小から大に、径がそれぞれ変化するに従い、ローラの位置が移動し、巻取ローラ４１と引出ローラ３１の全体としての高さの変化が無く、狭い高さスペースでローラを収納することが可能となる。
実施例５では引出ローラ軸３２、巻取ローラ軸４２両方の軸が移動し、それぞれ高さを最小に減少できるという効果を有する。
ここで、実施例１において引出ローラ軸位置：固定、巻取ローラ軸位置：移動、実施例４において引出ローラ軸：若干移動、巻取ローラ軸：固定、実施例５において両方の軸が移動し、引出ローラまたは巻取ローラの少なくとも一方は、略上下方向に移動可能であれば、引出ローラと巻取ローラの全体的な高さを最小にできるという効果を有する。
【実施例６】
【００４０】
図１７に使用済み玉磨き用ベルト端部と未使用玉磨き用ベルト端部の使用状態図を図示する第６実施例では、図７に図示される第１実施例のジョイント７１の代わりに面ファスナー７３ａ、７３ｂが、使用済み玉磨き用ベルト２１と未使用玉磨き用ベルト２１とのそれぞれの端部に取り付けられる。
図１７に図示されるように、使用済み玉磨き用ベルト２１と未使用玉磨き用ベルト２１との始端と終端とを面ファスナーで固定させ、玉磨き用ベルト２１の端部は、面ファスナー７３ａ、７３ｂで他の玉磨き用ベルト２１、特に未使用の玉磨き用ベルト２１に接続可能である。未使用の玉磨きベルト２１に接続することで、未使用の玉磨き用ベルト２１に繋げて、玉磨き揚送装置１１を順次掛け回して取り替える。
【産業上の利用可能性】
【００４１】
搬送ベルトと玉磨き用ベルトを対面させその間で、遊技機に使用される遊技媒体であるパチンコ玉を挟んで磨きながら揚送し、他の部分に比し、外部に突出する引出ローラ及び巻取ローラを収納ボックスで覆うことにより、引出ローラ及び巻取ローラは外部に露出せず、玉磨き用ベルトは汚れないで済む玉磨き揚送装置とすることができる。
【図面の簡単な説明】
【００４２】
【図１】この発明の第１実施例を取り付けられた玉磨き揚送装置の斜視図
【図２】この発明の第１実施例の収納ボックス５１のＡＡ断面説明図
【図３】この発明の第１実施例の収納ボックス５１のＡＡ断面説明図
【図４】この発明の第１実施例の収納ボックス５１のＡＡ断面説明図
【図５】この発明の第１実施例の収納ボックス５１のＡＡ断面説明図
【図６】この発明の第１実施例の収納ボックス５１のＡＡ断面説明図
【図７】この発明の第１実施例に使用されるジョイントの使用状態図
【図８】この発明の第２実施例を取り付けられた玉磨き揚送装置の斜視図
【図９】この発明の第２実施例の収納ボックス５１ａのＢＢ断面説明図
【図１０】この発明の第２実施例の収納ボックス５１ｂのＣＣ断面説明図
【図１１】この発明の第３実施例の収納ボックス５１のＡＡ断面説明図
【図１２】この発明の第３実施例の収納ボックス５１のＡＡ断面説明図
【図１３】この発明の第４実施例の収納ボックス５１のＡＡ断面説明図
【図１４】この発明の第４実施例の収納ボックス５１のＡＡ断面説明図
【図１５】この発明の第５実施例の収納ボックス５１のＡＡ断面説明図
【図１６】この発明の第５実施例の収納ボックス５１のＡＡ断面説明図
【図１７】この発明の第６実施例に使用される使用済み玉磨き用ベルト端部と未使用玉磨き用ベルト端部の使用状態図
【符号の説明】
【００４３】
１１  玉磨き揚送装置
１２  搬送ベルト
２１  玉磨き用ベルト
３１  引出ローラ
４１  巻取ローラ
５１、５１ａ、５１ｂ  収納ボックス
【図１】
2006314597.tif 000003
【図２】
2006314597.tif 000004
【図３】
2006314597.tif 000005
【図４】
2006314597.tif 000006
【図５】
2006314597.tif 000007
【図６】
2006314597.tif 000008
【図７】
2006314597.tif 000009
【図８】
2006314597.tif 000010
【図９】
2006314597.tif 000011
【図１０】
2006314597.tif 000012
【図１１】
2006314597.tif 000013
【図１２】
2006314597.tif 000014
【図１３】
2006314597.tif 000015
【図１４】
2006314597.tif 000016
【図１５】
2006314597.tif 000017
【図１６】
2006314597.tif 000018
【図１７】
2006314597.tif 000019